(57)【要約】【課題】  従来のエアコンは、室内温度が、一定温度以上に上昇した場合、自動的にエアコンの電源をＯＮする機能がなかった。本発明は、室内温度が一定温度以上に上昇した場合、自動的にエアコンの電源をＯＮにして、エアコンを冷房運転させ、室内温度を低下させて、熱中症による死亡事故の軽減を実現する。これを課題とするものである。【解決手段】  室内温度が一定温度以上に上昇した場合、自動的にエアコンの電源をＯＮにし、エアコンを冷房運転させ一定温度以下に低下したかを確認する電子回路を自動エアコン電源投入装置内に組み込み、これを室内機付近に設置し動作させることにより、室内における熱中症による死亡事故の軽減を実現する。【選択図】図１
2018115845.tif 000002
【特許請求の範囲】
【請求項１】
エアコン室内機の冷風吹き出し口付近に温度センサーを設置し、その温度センサーで温度を測定する電子回路を、自動エアコン電源投入装置（以下、本装置と記す）と命名した本装置に組み込み、温度センサーと本装置を有線で接続し、温度を測定し、一定温度以下（例えば、２０℃（温度設定変更可能））になったかを判断する温度測定方法の電子回路。
【請求項２】
室内温度が一定温度以上（例えば、３０℃（温度設定変更可能））に上昇しているので、本装置からエアコンに電源ＯＮ信号が発射されているにも関わらず、エアコン室内機の冷風吹き出し口付近の冷風温度が一定温度以下に低下しなかった場合、一定時間間隔おきにエアコンの電源ＯＮ信号を４回まで再発射する電子回路。なお、再発射中の途中にエアコン室内機の冷風吹き出し口付近の温度が一定温度以下に低下したことが確認された場合は、信号の再発射を打ち切る電子回路を含む。
【請求項３】
本装置からエアコンの電源ＯＮ信号が４回再発射されているにも関わらず、それでも、エアコン室内機の冷風吹き出し口付近の冷風温度が一定温度以下に低下しなかった場合、原因不明の異常動作と判断し、警報としてＬＥＤの点滅表示とブザーの鳴動（ＯＮ／ＯＦＦ（設定可能））を表示し、周知する電子回路。
【発明の詳細な説明】
【技術分野】
【０００１】  本発明は、エアコン設置場所の室内温度が一定温度以上（例えば、３０℃（温度設定変更可能））に上昇した場合、自動的にエアコンの電源ＯＮ信号を、汎用リモコンから発射し、エアコンを冷房運転をさせるための技術分野に関するものである。【０００２】  エアコンの電源ＯＮ信号を発射したにも関わらず、エアコンが冷房運転にならなかった場合の対処方法（請求項２、請求項３）の技術分野に関するものである。
【背景技術】
【０００３】  従来のエアコンは、設置場所の室内温度が一定温度以上に上昇した場合、自動的にエアコンの電源をＯＮする機能がなかった。
【発明の概要】
【発明が解決しようとする課題】
【０００４】  エアコンの設置場所の室内温度が一定温度以上（例えば、３０℃（温度設定変更可能））に上昇した場合、自動的にエアコンの電源をＯＮする電子回路が動作する事により、室内における熱中症による死亡事故の軽減が実現出来るようにすることを課題とする。
【課題を解決するための手段】
【０００５】  請求項１、請求項２、請求項３、記載の電子回路を組み込んだ本装置をエアコン設置場所の室内機付近に設置し動作させることで課題を解決する。
【発明の効果】
【０００６】  本装置をエアコン設置場所の室内機付近に設置し動作させる事により、室内温度は、エアコンの設定温度（設定温度を２５℃に設定しておけば２５℃に）まで低下するので、室内における熱中症による死亡事故の軽減を実現する事が出来る。
【図面の簡単な説明】
【０００７】
【図１】  動作系統図の概略図
【図２】  設置概略図
【発明を実施するための形態】
【０００８】  本装置の動作形態を図１に基づいて、信号の流れに沿って動作を詳細に説明する。
【０００９】  室内温度センサー１は、温度に比例する電圧値を出力するセンサーである。
これを本装置に内蔵し、室内温度を測定する。
エアコン温度センサー２も、温度に比例する電圧値を出力するセンサーである。
これをエアコン室内機の冷風吹き出し口付近に設置し、その温度を測定する。
【００１０】  室内温度コンパレータ３は、室内温度が一定温度以上（例えば、３０℃（温度設定変更可能））に上昇した場合、室内温度センサー１の出力電圧値と室内温度コンパレータ３の基準電圧値と同値の場合、ソレノイド７を動作させる信号とタイマー５をスタートさせる信号を出力する。
エアコン温度コンパレータ４も、エアコン室内機の冷風吹き出し口付近の温度が一定温度以下に低下した場合、エアコン温度センサー２の出力電圧値とエアコン温度コンパレータ４の基準値と同値の場合、タイマー５をリセットさせる信号を出力する。
【００１１】  ソレノイド７が動作すると、汎用リモコンの電源スイッチ８がＯＮされ、汎用リモコンからエアコン室内機に電源ＯＮ信号を赤外線信号で発射する。
又、手動エアコン電源ＯＮスイッチ１１をＯＮする事により、ソレノイド７が動作し、室内温度に関係なく、何時でも、汎用リモコンからエアコン室内機にエアコン電源ＯＮ信号を赤外線信号で発射できる。
【００１２】  タイマー５がスタートすると、２回目以降にソレノイド７を動作させるための一定時間をカウントし始める。
これは、エアコン温度コンパレータ４の出力信号により、タイマー５がリセットされない場合、ソレノイド７を４回動作させるための、一定時間間隔おきの時間である。
【００１３】  タイマー５がリセットされると、ソレノイド７の動作は停止する。
これは、エアコンの冷房運転が開始され、エアコン室内機の冷風吹き出し口付近の温度が一定温度以下（例えば、２０℃（温度設定変更可能））に低下した事を意味し、室内温度はエアコンの設定温度（例えば、２５℃に設定してあれば２５℃に）まで低下する。
【００１４】  カウンター７は、タイマー５の動作回数をカウントしておき、４回目のカウントを終了した場合、タイマー５をリセットすると共に、原因不明の異常動作と判断し、警報表示９として、ＬＥＤの点滅表示とブザーの鳴動（ＯＮ／ＯＦＦ（設定可能））をする。
【００１５】  リセットスイッチ１０は、警報表示９の状態を解除し、本装置を初期状態にもどす。
【００１６】  元々、付属しているエアコンの専用リモコンも併用使用が従来どうり可能である。
【００１７】  ＡＣアダプタ１２は、本装置の動作電源を作るＡＣ／ＤＣコンバータである。
【実施例】
【００１８】  図２の設置概略図に示すように、エアコン室内機付近に設置し、かつ、汎用リモコンの発射する赤外線信号がエアコン室内機に届く範囲、および直射日光が、室内温度センサー１、エアコン温度センサー２に当たらない場所。
【産業上の利用可能性】
【００１９】  ホテルの部屋、オフィス、無人にしようとする炎天下の自動車内、保育園、老人介護施設、その他、一定温度以上に温度上昇をさせたく無いエアコンの設置されている空間。
【符号の説明】
【００２０】  １  室内温度センサー                      １３  エアコン室内機
２  エアコン温度センサー                  １４  自動エアコン電源投入装置
３  室内温度コンパレータ
４  エアコン温度コンパレータ
５  タイマー
６  ソレノイド
７  カウンター
８  汎用リモコンの電源スイッチ
９  警報表示
１０  リセットスイッチ
１１  手動エアコン電源ＯＮスイッチ
１２  ＡＣアダプタ
【図１】
2018115845.tif 000003
【図２】
2018115845.tif 000004